(57)【特許請求の範囲】
【請求項１】
シースハブと、
前記シースハブに結合された固定ハウジングであって、前記固定ハウジングの外面に形成された第１のロック面を有する固定ハウジングと、
前記固定ハウジングに回転可能に結合された回転要素と、
前記回転要素の外面に結合されたシールであって、前記回転要素の外面と前記固定ハウジングの内面との間に配置されたシールと、
前記回転要素に固定的に結合されるとともに、前記シースハブに回転可能に結合されたシースチューブと、
前記回転要素に結合されたロックであって、前記第１のロック面と係合して、前記回転要素および前記シースチューブが前記シースハブおよび前記固定ハウジングに対して回転することを防止することが可能なロックと、
を具えることを特徴とするイントロデューサシース。
【請求項２】
前記シースハブがサイドポートを含むことを特徴とする請求項１に記載のイントロデューサシース。
【請求項３】
前記シースチューブが湾曲した先端部を含むことを特徴とする請求項１に記載のイントロデューサシース。
【請求項４】
前記固定ハウジングの近位部が前記シースハブの遠位部に固定的に結合されることを特徴とする請求項１に記載のイントロデューサシース。
【請求項５】
前記シースチューブの近位部が前記回転要素の遠位部に結合されることを特徴とする請求項１に記載のイントロデューサシース。
【請求項６】
前記回転要素のルーメンが、前記シースハブのメインルーメンに流体連通することを特徴とする請求項１に記載のイントロデューサシース。
【請求項７】
前記シースチューブのルーメンが、前記回転要素のルーメンに流体連通することを特徴とする請求項１に記載のイントロデューサシース。
【請求項８】
前記回転要素がスライドセグメントを含み、前記ロックがスライドボアを含み、前記スライドセグメントが、前記スライドボアに摺動可能に係合するように構成されることを特徴とする請求項１に記載のイントロデューサシース。
【請求項９】
前記スライドセグメントおよび前記スライドボアが非円形の横断面を有することを特徴とする請求項８に記載のイントロデューサシース。
【請求項１０】
前記スライドセグメントおよび前記スライドボアが六角形の断面を有することを特徴とする請求項８に記載のイントロデューサシース。
【請求項１１】
前記ロックは、前記スライドボアを介して前記スライドセグメントに沿って摺動するように構成されることを特徴とする請求項８に記載のイントロデューサシース。
【請求項１２】
前記ロックが第２のロック面を含むことを特徴とする請求項１に記載のイントロデューサシース。
【請求項１３】
前記第１のロック面および前記第２のロック面がテーパ形であることを特徴とする請求項１２に記載のイントロデューサシース。
【請求項１４】
前記ロックは、前記回転要素および前記シースチューブが回転できるように構成されたアンロック位置を有し、前記ロックは、前記回転要素および前記シースチューブが回転しないように構成されたロック位置を有することを特徴とする請求項１２に記載のイントロデューサシース。
【請求項１５】
前記第１のロック面は、前記ロックがアンロック位置にある場合、前記第２のロック面に接触しないように構成されることを特徴とする請求項１４に記載のイントロデューサシース。
【請求項１６】
前記第１のロック面は、前記ロックがロック位置にある場合、前記第２のロック面と締り嵌めを形成するように構成されることを特徴とする請求項１４に記載のイントロデューサシース。
【請求項１７】
前記ロックに結合され、前記湾曲した先端部と位置合わせされたマーカを更に具えることを特徴とする、請求項３に記載のイントロデューサシース。
【請求項１８】
シースハブと、
前記シースハブに結合された固定ハウジングであって、前記固定ハウジングの外面に形成されたロック面を有する固定ハウジングと、
前記固定ハウジングに回転可能に結合された回転要素と、
前記回転要素の外面に結合されたシールであって、前記回転要素の外面と前記固定ハウジングの内面との間に配置されたシールと、
前記回転要素に固定的に結合されるとともに、前記シースハブに回転可能に結合されたシースチューブと、
前記回転要素に結合されたロック手段であって、前記ロック面と協働して、前記回転要素および前記シースチューブが前記シースハブおよび前記固定ハウジングに対して回転することを防止することが可能なロック手段と、
を具えることを特徴とするイントロデューサシース。
【請求項１９】
請求項１に記載のイントロデューサシースを提供するステップと、
前記回転要素を使用して、前記シースチューブを前記シースハブに対して回転させるステップと、
前記ロックを使用して、前記シースチューブが前記シースハブに対して回転することを防止するステップと、
を具えることを特徴とするイントロデューサシースの使用方法。
【発明の詳細な説明】
【技術分野】
【０００１】
イントロデューサシースは血管にアクセスするために使用され、カテーテルまたは他の装置が血管内に挿入することが可能になる。イントロデューサシースは、サイドポートとサイドチューブとを有するシースハブを含むことができる。サイドポートおよびサイドチューブにより、薬剤を、イントロデューサシースを通して送達することが可能になる。サイドポートおよびサイドチューブにより、液体をイントロデューサシースから吸引することも可能になる。
【背景技術】
【０００２】
イントロデューサシースは、ダイレータと共に用いて、血管内に挿入されたガイドワイヤを通じて前進させることができる。皮膚から血管内への進行を促進するよう、イントロデューサシースを回転させることができる。
【０００３】
イントロデューサシースは、人体の所望箇所へのアクセスを促す、湾曲した先端部を有することができる。イントロデューサシースを回転させて、湾曲した先端部を所望の方向に向けることができる。
【０００４】
イントロデューサシースを回転させると、サイドチューブが、シースハブ、およびイントロデューサシースの他の箇所の周囲に絡まることがある。サイドチューブを、シースハブ、およびイントロデューサシースの他の箇所から手動でほどく必要がある。サイドチューブがキンクして、サイドチューブからの流れが制限されることもある。
【０００５】
サイドチューブがシースハブおよびイントロデューサシースの他の箇所の周囲で絡むことなく回転可能なイントロデューサシースが求められている。
【発明の概要】
【０００６】
イントロデューサシースについて記載する。一実施形態において、イントロデューサシースは、シースハブと、シースハブに結合された固定ハウジングと、固定ハウジングに回転可能に結合された回転要素と、回転要素に固定的に結合されたシースチューブと、回転要素に結合されたロックとを具える。ロックは、回転要素およびシースチューブがシースハブに対して回転することを防止することが可能である。
【０００７】
イントロデューサシースの使用方法について記載する。一実施形態において、方法は、シースチューブをシースハブに対して回転させるステップと、シースチューブを固定して、シースチューブがシースハブに対して回転することを防止するステップとを具える。シースチューブは、回転可能にシースハブに結合する。
【図面の簡単な説明】
【０００８】
【図１】図１Ａ乃至１Ｇは、イントロデューサシース１１００の一実施形態を示す。図１Ａ乃至１Ｂは、イントロデューサシース１１００の側面図を示す。図１Ｃは、イントロデューサシース１１００の斜視図を示す。図１Ｄは、イントロデューサシース１１００の分解斜視図を示す。図１Ｅは、イントロデューサシースの分解断面図を示す。図１Ｆは、アンロック位置におけるイントロデューサシース１１００の断面図を示す。図１Ｇは、ロック位置におけるイントロデューサシース１１００の断面図を示す。
【図２】図２Ａ乃至２Ｄは、イントロデューサシース１１００の使用方法の一実施形態を示す。図２Ａは、固定されたロック１１５０を示す。図２Ｂは、ロック１１５０の外し方を示す。図２Ｃは、シースチューブ１１４０のシースハブ１１１０に対する回転を示す。図２Ｄは、ロック１１５０を固定する方法を示す。
【発明を実施するための形態】
【０００９】
シースハブに対して独立して回転できるイントロデューサシースについて記載する。これにより、サイドチューブがシースハブ、および／またはイントロデューサシースの他の箇所の周囲に絡まることが防止される。なお、シースチューブをその場で固定して、シースハブに対して回転することを防止することができる。このことにより、シースチューブが使用中に不注意に回転することが防止される。
【００１０】
図１Ａ乃至１Ｆは、イントロデューサシース１１００の一実施形態を示す。図１Ａ乃至１Ｂは、イントロデューサシース１１００の側面図を示す。図１Ｃは、イントロデューサシース１１００の斜視図を示す。図１Ｄは、イントロデューサシース１１００の分解斜視図を示す。図１Ｅは、イントロデューサシース１１００の拡大断面図を示す。図１Ｆは、アンロック位置におけるイントロデューサシース１１００の断面図を示す。図１Ｇは、ロック位置におけるイントロデューサシース１１００の断面図を示す。
【００１１】
イントロデューサシース１１００は、シースハブ１１１０を含むことができる。シースハブ１１１０は、近位部１１１０ｐと遠位部１１１０ｄとを含むことができる。イントロデューサシース１１００は、縦軸１１００ｘを含むことができる。
【００１２】
シースハブ１１１０は、メインポート１１１１とメインルーメン１１１５とを含むことができる。メインポート１１１１は、メインルーメン１１１５にアクセスすることができる。シースハブ１１１０は、サイドポート１１１２とサイドルーメン１１１６とを含むことができる。サイドポート１１１２は、サイドルーメン１１１６にアクセスすることができる。サイドポート１１１２は、サイドチューブ１１１３および活栓１１１４に結合することができる。サイドルーメン１１１６は、メインルーメン１１１５に流体連通することができる。サイドルーメン１１１６は、メインルーメン１１１５に対して９０度等の斜め方向から接続することができる。
【００１３】
イントロデューサシース１１００は、固定ハウジング１１２０と、回転要素１１３０と、シースチューブ１１４０とを含むことができる。イントロデューサシース１１００は、ロック１１５０を含むことができる。
【００１４】
固定ハウジング１１２０は、近位部１１２０ｐと遠位部１１２０ｄとを含むことができる。固定ハウジング１１２０は、シースハブ１１１０に固定結合することができる。固定ハウジング１１２０の近位部１１２０ｐは、シースハブ１１１０の遠位部１１１０ｄに結合することができる。固定ハウジング１１２０は、１つ以上のハウジングピースを含むことができる。例えば、固定ハウジング１１２０は、第２のハウジングピース１１２０ｂに結合して固定ハウジング１１２０を形成する第１のハウジングピース１１２０ａを含むことができる。固定ハウジング１１２０は、シースハブ１１１０とは別個に形成することができる。或いは、固定ハウジング１１２０の１つ以上のピースを、シースハブ１１１０とともに単一ピースとして形成することができる。
【００１５】
回転要素１１３０は、近位部１１３０ｐと、中間部１１３０ｍと、遠位部１１３０ｄとを含むことができる。回転要素１１３０は、固定ハウジング１１２０、従ってシースハブ１１１０に回転可能に結合する。回転要素１１３０は、ルーメン１１３５を含むことができる。ルーメン１１３５は、均一または可変幅を有することができる。回転要素１１３０のルーメン１１３５は、シースハブ１１１０のメインルーメン１１１５に流体連通することができる。
【００１６】
シースチューブ１１４０は、近位部１１４０ｐと遠位部１１４０ｄとを含むことができる。シースチューブ１１４０は、回転要素１１３０に結合することができる。シースチューブ１１４０の近位部１１４０ｐは、回転要素１１３０の遠位部１１３０ｄに結合することができる。或いは、シースチューブ１１４０は、回転要素１１３０と共に単一ピースとして形成することができる。シースチューブ１１４０は、ルーメン１１４５を含むことができる。シースチューブ１１４０のルーメン１１４５は、回転要素１１３０のルーメン１１３５に流体連通することができる。シースチューブ１１４０は、遠位部１１４０ｄに湾曲した先端部１１４９を含むことができる。
【００１７】
ロック１１５０は、近位部１１５０ｐと遠位部１１５０ｄとを含むことができる。ロック１１５０は、回転要素１１３０に結合することができる。
【００１８】
固定ハウジング１１２０は、ボア１１２１を含むことができる。ボア１１２１は、略円筒状であってもよい。ボア１１２１は、カラートラック１１２１ａを含むことができる。カラートラック１１２１ａは、ボア１１２１の一部分であってもよく、ボア１１２１の他の部分よりも大きい直径を有する。カラートラック１１２１ａは、カラートラック１１２１ａに対して末端側にショルダ１１２１ｂを形成することができる。
【００１９】
回転要素１１３０は、コア１１３１を含むことができる。コア１１３１は、回転要素１１３０の近位部１１３０ｐにあってもよい。コア１１３１は、略円筒状であってよい。コア１１３１は、様々な寸法の直径を有することができる。コア１１３１は、カラー１１３１ａを含むことができる。カラー１１３１ａは、ボア１１３１の一部分であってもよく、コア１１３１の他の部分よりも大きい直径を有する。或いは、カラー１１３１ａは、コア１１３１と別個に形成し、コア１１３１に結合することができる。
【００２０】
ボア１１２１は、コア１１３１を受け入れるように構成される。コア１１３１は、ボア１１２１内を回転するように構成される。カラートラック１１２１ａは、カラー１１３１ａを受け入れるように構成される。カラー１１３１ａは、カラートラック１１２１ａ内を回転するように構成される。ボア１１２１は、カラー１１３１ａの近位と遠位との両方でコア１１３１を支持することができる。或いは、ボア１１２１は、カラー１１３１ａの遠位のみでコア１１３１を支持することができる。
【００２１】
コア１１３１は、ボア１１２１内を自由に回転するように構成することができる。コア１１３１は、ボア１１２１よりも小さい直径を有することができる。カラー１１３１ａは、カラートラック１１２１ａよりも小さい直径を有することができるが、それはボア１１２１の他の部分よりも大きい直径である。ショルダ１１２１ｂは、カラー１１３１ａ、従って回転要素１１３０が遠位に移動することを防止することができる。
【００２２】
シール１１３７は、回転要素１１３０の近位部１１３０ｐに結合することができる。シール１１３７は、回転要素１１３０の近位部１１３０ｐとボア１１２１との間に配置することができる。或いは、シール１１３７は、回転要素１１３０の近位部１１３０ｐとシースハブ１１１０のメインルーメン１１１５との間に配置することもできる。ショルダ１１２１ｂは、回転要素１１３０の近位部１１３０ｐをシール１１３７に付勢することができる。
【００２３】
回転要素１１３０は、スライドセグメント１１３６を含むことができる。スライドセグメント１１３６は、回転要素１１３０の中間位置１１３０ｍにあってもよい。スライドセグメント１１３６は、回転要素１１３０の外面に形成することができる。スライドセグメント１１３６は、非円形の横断面を有することができる。スライドセグメント１１３６は、六角形の断面を有することができる。或いは、スライドセグメント１１３６は、楕円形、多角形、星または歯車型、または他の適切な形状の断面を有することができる。
【００２４】
ロック１１５０は、スライドボア１１５６を含むことができる。スライドボア１１５６は、ロック１１５０の遠位部１１５０ｄにあってもよい。スライドボア１１５６は、ロック１１５０の内面に形成することができる。スライドボア１１５６は、スライドセグメント１１３６を係合するように構成された断面を有することができる。スライドボア１１５６は、スライドセグメント１１３６と同様の断面を有することができる。スライドボア１１５６は、非円形の横断面を有することができる。スライドボア１１５６は、六角形の断面を有することができる。或いは、スライドボア１１５６は、楕円形、多角形、星または歯車型、または他の適切な形状の断面を有することができる。
【００２５】
スライドボア１１５６は、スライドセグメント１１３６を受け入れるように構成される。スライドボア１１５６およびスライドセグメント１１３６は、ロック１１５０が回転要素１１３０と共に回転するように構成することができる。スライドボア１１５６およびスライドセグメント１１３６は、非円形の横断面を有することができ、これによりスライドセグメント１１３６がスライドボア１１５６およびロック１１５０に対して回転することが防止される。スライドボア１１５６は、スライドセグメント１１３６よりも大きい幅を有することができるが、その幅はスライドセグメント１１３６がスライドボア１１５６内を独立して回転することが可能になるほど大きい幅ではない。
【００２６】
ロック１１５０は、スライドボア１１５６を通じて、スライドセグメント１１３６に沿って摺動するように構成することができる。スライドセグメント１１３６の長さは、スライドボア１１５６より長くてもよい。ロック１１５０は、スライドセグメント１１３６に沿って近位と遠位との両方に摺動することができる。
【００２７】
ロック１１５０は、スライドセグメント１１３６に沿って自由に摺動するように構成することができる。スライドボア１１５６は、スライドセグメント１１５６よりも大きい幅を有することができる。或いは、ロック１１５０は、スライドセグメント１１３６に沿って自由に摺動しないように構成することができる。スライドボア１１５６は、スライドセグメント１１５６と非常に小さい締り嵌めを形成する幅を有することができる。
【００２８】
固定ハウジング１１２０は、図１Ｄ乃至１Ｇに示す第１のロック面１１２２を含むことができる。第１のロック面１１２２は、固定ハウジング１１２０の外面に形成することができる。第１のロック面１１２２は、略円形の横断面を有することができる。第１のロック面１１２２は、固定ハウジング１１２０の近位部１１２０ｐに向けて幅が大きくなり、固定ハウジング１１２０の遠位部１１２０ｄに向けて幅が小さくなるテーパ形であってもよい。第１のロック面１１２２は、円錐台のような形状であってもよい。或いは、第１のロック面１１２２は、略均一な幅を有することができる。
【００２９】
ロック１１５０は、図１Ｅ乃至１Ｇに示す第２のロック面１１５２を含むことができる。第２のロック面１１５２は、ロック１１５０の近位部１１５０ｐにあってもよい。第２のロック面１１５２は、ロック１１５０の内面に形成することができる。第２のロック面１１５２は、固定ハウジング１１２０の第１のロック面１１２２を係合するように構成された形状を有することができる。第２のロック面１１５２は、略円形の横断面を有することができる。第２のロック面１１５２は、円錐台のような形状であってもよい。第２のロック面１１５２は、ロック１１５０の近位部１１５０ｐに向けて幅が大きくなり、ロック１１５０の遠位部１１５０ｄに向けて幅が小さくなるテーパ形であってもよい。或いは、第２のロック面１１５２は、略均一な幅を有することができる。
【００３０】
ロック１１５０は、図１Ｆに示す、回転要素１１３０およびシースチューブ１１４０がシースハブ１１１０に対して回転可能になるように構成されたアンロック位置を有する。ロック１１５０は、ロック１１５０の第２のロック面１１５２が固定ハウジング１１２０の第１のロック面１１２２に接触しなくなるまでロック１１５０を遠位方向に摺動することにより、アンロック位置に移動することができる。
【００３１】
ロック１１５０は、図１Ｇに示す、回転要素１１３０およびシースチューブ１１４０がシースハブ１１１０に対して回転しないように構成されたロック位置を有する。ロック１１５０は、ロック１１５０の第２のロック面１１５２が固定ハウジング１１２０の第１のロック面１１２２に接触し、固定ハウジング１１２０の第１のロック面１１２２と締り嵌めを形成するまでロック１１５０を近位方向に摺動することにより、ロック位置に移動することができる。ロック１１５０、つまり回転要素１１３０およびシースチューブ１１４０が、固定ハウジング１１２０およびシースハブ１１１０に対して回転することを防止する。
【００３２】
第１のロック面１１２２および第２のロック面１１５２が略円形の横断面を有する場合、回転要素１１３０は、無限に調整可能な角度位置を有することができる。第１のロック面１１２２および／または第２のロック面１１５２がテーパ形である場合、第１のロック面１１２２と第２のロック面１１５２との締り嵌めは、ロック１１５０が近位に移動すると固く締まる。
【００３３】
グリップ１１５８を、ロック１１５０に結合することができる。グリップ１１５８は、ロック１１５０の周囲に結合することができる。ロック１１５０を操作し易くするために、グリップ１１５８をテクスチャ加工してもよい。
【００３４】
マーカ１１５９を、ロック１１５０および／または回転要素１１３０に結合することができる。マーカ１１５９は、湾曲した先端部１１４９と位置を合わせることができる。マーカ１１５９は、湾曲した先端部１１４９が曲げられた或いは向けられた方向を示すことができる。
【００３５】
シースチューブ１１４０は、スリーブ１１４８と共に、回転要素１１３０に固定結合することができる。シースチューブ１１４０および回転要素１１３０は、共に回転する。スリーブ１１４８は、シースチューブ１１４０の近位部１１４０ｐおよび回転要素１１３０の遠位部１１３０ｄの周囲に結合することができる。回転要素１１３０の遠位部１１３０ｄは、スライドセグメント１１３６よりも小さい幅を有することができる。スリーブ１１４８は、スライドボア１１５６よりも大きい幅を有し、ロック１１５０の遠位ストッパとして作用する部分を含むことができる。
【００３６】
イントロデューサシース１１００により、シースチューブ１１４０がシースハブ１１１０に対して独立して回転することが可能になる。このことにより、シースチューブ１１４０を回転させることが可能になり、シースハブ１１１０およびサイドポート１１１２を回転させなくても、湾曲した先端部１１４９の位置を変えることが可能になる。このことにより、サイドチューブ１１１３の、シースハブ１１１０および／イントロデューサシース１１００の他の箇所の周囲への巻き付きが防止される。
【００３７】
イントロデューサシース１１００により、シースチューブ１１４０を所定の位置に固定することが可能になり、シースチューブ１１４０がシースハブ１１１０に対して回転することを防止する。このことにより、シースチューブ１１４０が使用中に不注意に回転することが防止され、湾曲した先端部１１４９の位置が使用中に不注意に動くことが防止される。
【００３８】
サイドポート１１１２がないシースハブ１１１０、および／または湾曲した先端部１１４９がないシースチューブ１１４０については、シースハブ１１１０から独立して回転して所定位置に固定可能なシースチューブ１１４０を有することが有用である。
【００３９】
図２Ａ乃至２Ｄは、イントロデューサシース１１００の使用方法の一実施形態を示す。
【００４０】
図２Ａは、固定されたロック１１５０を示す。ロック１１５０は、固定位置へと近位方向に動かされている。ロック１１５０は、回転要素１１３０およびシースチューブ１１４０が、シースハブ１１１０に対して回転することを防止する。
【００４１】
図２Ｂは、ロック１１５０の外し方を示す。ロック１１５０は、アンロック位置へと遠位方向に動かされる。ロック１１５０は、スリーブ１１４８によって更に遠位に移動しないようにすることができる。
【００４２】
図２Ｃは、シースチューブ１１４０のシースハブ１１１０に対する回転を示す。ロック１１５０、回転要素１１３０、およびシースチューブ１１４０が共に回転する。シースチューブ１１４０は、ロック１１５０を回転させることで回転することができる。シースチューブ１１４０および／またはスリーブ１１４８を直接回転させることで、シースチューブ１５０も回転することができる。シースチューブ１１４０を回転させて、湾曲した先端部１１４９を所望の方向に向けることができる。湾曲した先端部１１４９が見えないところに隠れた場合、マーカ１１５９を使用して湾曲した先端部１１４９の向きを示すことができる。
【００４３】
図２Ｄは、ロック１１５０を固定する方法を示す。ロック１１５０は、固定位置に向けて近位方向に動かされる。ロック１１５０は、回転要素１１３０およびシースチューブ１１４０がシースハブ１１１０に対して回転することを防止する。
【００４４】
上記について、発明の特定の実施形態を参照しながら説明したが、それらの実施形態は、発明の原理および精神から逸脱することなく変更してもよいことが当業者に理解されよう。
【図１Ａ】
0006942383.tif 000002
【図１Ｂ】
0006942383.tif 000003
【図１Ｃ】
0006942383.tif 000004
【図１Ｄ】
0006942383.tif 000005
【図１Ｅ】
0006942383.tif 000006
【図１Ｆ】
0006942383.tif 000007
【図１Ｇ】
0006942383.tif 000008
【図２Ａ】
0006942383.tif 000009
【図２Ｂ】
0006942383.tif 000010
【図２Ｃ】
0006942383.tif 000011
【図２Ｄ】
0006942383.tif 000012